(57)【要約】【課題】端子数を増やさずに遅延の少ない通信を行うことが可能な表示用アクセサリを提供する。【解決手段】表示用アクセサリは、カメラボディに着脱可能な取付部と、カメラボディから所定端子を介して映像信号を継続的に受信する機能と、所定端子を介して映像信号に関する制御信号を継続的に送受信する機能とを有する通信部と、制御信号を通信部に入力する制御部とを備え、通信部は、制御信号として調歩同期式のシリアル信号を想定して設計されると共に、入力された制御信号に所定信号レベルが所定時間以上連続して現れないよう要求し、制御部は、シリアル信号ではなく、所定信号レベルがシリアル信号に連続して現れる時間よりも長く且つ所定時間より短い時間だけ連続して現れる信号を前記制御信号として、通信部に入力する。【選択図】図１
2015076630.tif 000002
【特許請求の範囲】
【請求項１】
カメラボディに着脱可能な取付部と、
前記カメラボディから所定端子を介して映像信号を継続的に受信する機能と、前記所定端子を介して前記映像信号に関する制御信号を継続的に送受信する機能とを有する通信部と、
前記制御信号を前記通信部に入力する制御部と、を備え、
前記通信部は、前記制御信号として調歩同期式のシリアル信号を想定して設計されると共に、入力された前記制御信号に所定信号レベルが所定時間以上連続して現れないよう要求し、
前記制御部は、前記シリアル信号ではなく、前記所定信号レベルが前記シリアル信号に連続して現れる時間よりも長く且つ前記所定時間より短い時間だけ連続して現れる信号を前記制御信号として前記通信部に入力することを特徴とする表示用アクセサリ。
【請求項２】
請求項１に記載の表示用アクセサリにおいて、
前記通信部により受信された前記映像信号に基づく映像を表示する表示部を備え、
前記制御部は、前記表示部による前記映像の表示が行われている場合と、前記表示部による前記映像の表示が行われていない場合とで、前記制御信号の信号レベルを変化させることを特徴とする表示用アクセサリ。
【請求項３】
請求項１または２に記載の表示用アクセサリにおいて、
前記制御部は、所定情報を表す前記シリアル信号と、前記制御信号とを切り替えて前記通信部に入力することを特徴とする表示用アクセサリ。
【発明の詳細な説明】
【技術分野】
【０００１】
本発明は、表示用アクセサリに関する。
【背景技術】
【０００２】
従来、カメラとシリアル通信を行う外部装置が知られている。例えば特許文献１には、カメラと通信ケーブルにより接続され、調歩同期式のシリアル通信を行うシリアル通信装置が記載されている。
【先行技術文献】
【特許文献】
【０００３】
【特許文献１】特開平４−３６１２４７号公報
【発明の概要】
【発明が解決しようとする課題】
【０００４】
従来技術のように、所望の情報をシリアル信号により伝送する場合、情報とシリアル信号との相互変換や、シリアル信号の送受信手順に時間が掛かるため、遅延の少ない情報伝達を行うことが困難であるが、所望の情報を伝送するための信号線を新規に追加すると、端子数の増加に伴う実装面積やコストの増加を招いてしまうという問題があった。
【課題を解決するための手段】
【０００５】
請求項１に記載の表示用アクセサリは、カメラボディに着脱可能な取付部と、前記カメラボディから所定端子を介して映像信号を継続的に受信する機能と、前記所定端子を介して前記映像信号に関する制御信号を継続的に送受信する機能とを有する通信部と、前記制御信号を前記通信部に入力する制御部とを備え、前記通信部は、前記制御信号として調歩同期式のシリアル信号を想定して設計されると共に、入力された前記制御信号に所定信号レベルが所定時間以上連続して現れないよう要求し、前記制御部は、前記シリアル信号ではなく、前記所定信号レベルが前記シリアル信号に連続して現れる時間よりも長く且つ前記所定時間より短い時間だけ連続して現れる信号を前記制御信号として前記通信部に入力することを特徴とする。
【発明の効果】
【０００６】
本発明によれば、端子数を増やさずに遅延の少ない通信を行うことができる。
【図面の簡単な説明】
【０００７】
【図１】本発明を適用したレンズ交換式のカメラシステムを示した斜視図である。
【図２】本発明を適用したレンズ交換式のカメラシステムを示した斜視図である。
【図３】カメラボディ１００とアクセサリ３００の構成を模式的に示すブロック図である。
【図４】調歩同期式のシリアル信号と、ボディＣＰＵ１１０とアクセサリＣＰＵ３１０との間で伝送される信号の例を示す図である。
【図５】トランスミッタＩＣ１１３およびレシーバＩＣ３１３の詳細を示す図である。
【図６】背面モニタ１０５から液晶パネル３０３への表示切替処理のフローチャートである。
【図７】背面モニタ１０５から液晶パネル３０３への表示切替処理のタイミングチャートである。
【図８】液晶パネル３０３から背面モニタ１０５への表示切替処理のフローチャートである。
【図９】液晶パネル３０３から背面モニタ１０５への表示切替処理のタイミングチャートである。
【発明を実施するための形態】
【０００８】
（第１の実施の形態）
以下、本発明の第１の実施の形態に係るレンズ交換式のデジタルカメラについて説明する。なお、以下の説明では本発明に特に関係する箇所について述べ、それ以外の箇所については図示と説明を省略する。
【０００９】
図１および図２は、本発明を適用したレンズ交換式のカメラシステムを示した斜視図である。カメラシステム１は、カメラボディ１００と、カメラボディ１００に着脱可能な交換レンズ２００と、カメラボディ１００に着脱可能なアクセサリ３００とから構成される。
【００１０】
カメラボディ１００の筐体前面１０には、交換レンズ２００が着脱可能に取り付けられるボディ側マウント部１０１が設けられている。交換レンズ２００には、ボディ側マウント部１０１に対応する、カメラボディ１００が着脱可能に取り付けられるレンズ側マウント部２０１が設けられている。
【００１１】
カメラボディ１００内のボディ側マウント部１０１後方には、例えばＣＭＯＳやＣＣＤなどの撮像素子１０２が設けられている。カメラボディ１００の筐体上面２０には、レリーズボタン１０３が設けられている。このレリーズボタンには、周知のように、半押し操作でＯＮする半押しスイッチと、全押し操作でＯＮする全押しスイッチとが含まれている。カメラボディ１００の筐体後面３０には、種々のボタン１０４が設けられている。ユーザはレリーズボタン１０３やボタン１０４等の入力装置を用いて、カメラボディ１００に撮影指示や撮影条件の設定指示等を入力する。
【００１２】
カメラボディ１００の筐体後面３０には、背面モニタ１０５が設けられている。背面モニタ１０５は、例えば液晶ディスプレイ等を用いた表示装置である。背面モニタ１０５は、例えば被写体像のライブビュー表示や、撮影設定のメニュー表示等を行う。
【００１３】
カメラボディ１００の筐体上面２０には、アクセサリ３００が着脱可能に取り付けられるシュー座１０６が設けられている。アクセサリ３００には、シュー座１０６に対応する、カメラボディ１００が着脱可能に取り付けられるコネクタ３０１が設けられている。
【００１４】
アクセサリ３００は、いわゆる電子ビューファインダー（ＥＶＦ）機能を提供する。アクセサリ３００の背面４０には、ファインダー窓３０２が設けられている。アクセサリ３００内部には、液晶パネル３０３が設けられている。ユーザは、ファインダー窓３０２を覗くことにより、液晶パネル３０３に表示された映像を視認することができる。
【００１５】
カメラボディ１００にアクセサリ３００を装着すると、通常は背面モニタ１０５に表示される画面を、アクセサリ３００の液晶パネル３０３に表示することができる。例えば、いわゆるライブビューやメニュー画面は、通常は背面モニタ１０５に表示されるが、アクセサリ３００の液晶パネル３０３に表示先を切り替えることができる。背面モニタ１０５と液晶パネル３０３は排他的に利用される。
【００１６】
図３は、カメラボディ１００とアクセサリ３００の構成を模式的に示すブロック図である。カメラボディ１００のシュー座１０６には、２１個の電気接点ＰＢ１〜ＰＢ２１が設けられている。アクセサリ３００のコネクタ３０１には、２１個の電気接点ＰＡ１〜ＰＡ２１が設けられている。アクセサリ３００をカメラボディ１００に装着すると、シュー座１０６に設けられた２１個の接点ＰＢ１〜ＰＢ２１と、コネクタ３０１に設けられた２１個の電気接点ＰＡ１〜ＰＡ２１とが電気的に接続される。これらの接点は、カメラボディ１００からアクセサリ３００への電力供給や、カメラボディ１００とアクセサリ３００との間の信号の授受に用いられる。
【００１７】
カメラボディ１００は、ボディＣＰＵ１１０と、バッテリー１１１と、ＤＣ／ＤＣコンバータ１１２と、トランスミッタＩＣ１１３とを備える。ボディＣＰＵ１１０は、不図示のＲＯＭに予め格納された制御プログラムを読み込んで実行することにより、カメラボディ１００全体の制御を行う。バッテリー１１１は、カメラボディ１００やアクセサリ３００の電力源である二次電池である。ＤＣ／ＤＣコンバータ１１２は、バッテリー１１１から供給される電圧を変換してアクセサリ３００に供給する。トランスミッタＩＣ１１３は、映像信号を送信するＩＣである。トランスミッタＩＣ１１３は、アクセサリ３００に映像信号を送信する。
【００１８】
アクセサリ３００は、アクセサリＣＰＵ３１０と、レシーバＩＣ３１３と、ドライバＩＣ３１４とを備える。アクセサリＣＰＵ３１０は、不図示のＲＯＭに予め格納された制御プログラムを読み込んで実行することにより、アクセサリ３００全体の制御を行う。レシーバＩＣ３１３は、映像信号を受信するＩＣである。レシーバＩＣ３１３は、カメラボディ１００から映像信号を受信する。レシーバＩＣ３１３は、カメラボディ１００が有するトランスミッタＩＣ１１３と対になっている。ドライバＩＣ３１４は、液晶パネル３０３の駆動制御を行う。
【００１９】
カメラボディ１００が電源オン状態のとき、撮像素子１０２は所定時間（例えば６０分の１秒）ごとに繰り返し撮像を行い、撮像信号を出力する。撮像素子１０２から出力された撮像信号は、ボディＣＰＵ１１０に入力される。ボディＣＰＵ１１０は、入力された撮像信号に種々の画像処理を施した映像信号を出力する。ボディＣＰＵ１１０は更に、不図示のオシレータ等により、垂直同期信号、水平同期信号、ドットクロック等の同期用信号を出力する。ボディＣＰＵ１１０が出力した映像信号および同期用信号は、スイッチ１１４を介してトランスミッタＩＣ１１３か背面モニタ１０５のいずれかに入力される。背面モニタ１０５は、入力された映像信号および同期用信号に基づく映像（スルー画）を表示する。
【００２０】
トランスミッタＩＣ１１３は、入力された映像信号および同期用信号を、いわゆるＬＶＤＳ（Low Voltage Differential Signaling）に基づく信号にシリアライズして、一対の信号線Tx+、Tx-でアクセサリ３００に送信する。一対の信号線Tx+、Tx-は、アクセサリ３００内のレシーバＩＣ３１３に接続されている。
【００２１】
レシーバＩＣ３１３は、一対の信号線Tx+、Tx-を介して受信したＬＶＤＳに基づく信号を元の映像信号および同期用信号にデシリアライズする。レシーバＩＣ３１３は、デシリアライズした映像信号および同期用信号を、信号線Vを介してドライバＩＣ３１４に出力する。ドライバＩＣ３１４は、信号線Vを介して入力された映像信号および同期用信号に基づく映像（スルー画）を、液晶パネル３０３に表示する。
【００２２】
信号線Vには、信号線Vsyncが接続されている。信号線Vsyncは、アクセサリＣＰＵ３１０に接続されている。アクセサリＣＰＵ３１０には、信号線Vsyncを介して、同期用信号に含まれる垂直同期信号が入力される。
【００２３】
ボディＣＰＵ１１０は、トランスミッタＩＣ１１３と、信号線Tx_CE、BCMDO、BCMDIにより接続されている。信号線Tx_CEは、トランスミッタＩＣ１１３による一対の信号の送信をオンオフする信号線である。ボディＣＰＵ１１０は、信号線Tx_CEに制御信号を出力することにより、トランスミッタＩＣ１１３による映像信号および同期用信号のシリアライズおよび一対の信号の送信をオンオフすることができる。信号線BCMDO、BCMDIについては後に詳述する。
【００２４】
アクセサリＣＰＵ３１０は、レシーバＩＣ３１３と、信号線Rx_CE、ECMDO、ECMDIにより接続されている。信号線Rx_CEは、レシーバＩＣ３１３による一対の信号の受信をオンオフする信号線である。アクセサリＣＰＵ３１０は、信号線Rx_CEに制御信号を出力することにより、レシーバＩＣ３１３による一対の信号の受信およびデシリアライズをオンオフすることができる。信号線ECMDO、ECMDIについては後に詳述する。
【００２５】
アクセサリＣＰＵ３１０は、ドライバＩＣ３１４と、信号線Sにより接続されている。信号線Sは、ドライバＩＣ３１４による液晶パネル３０３の表示をオンオフする信号線である。アクセサリＣＰＵ３１０は、信号線Sに制御信号を出力することにより、ドライバＩＣ３１４による液晶パネル３０３の表示をオンオフすることができる。
【００２６】
ボディＣＰＵ１１０とアクセサリＣＰＵ３１０とは、信号線CLK、DATA、DISP_CHGにより接続されている。信号線CLKおよび信号線DATAは、ボディＣＰＵ１１０とアクセサリＣＰＵ３１０との間で半二重のシリアルデータ通信を行うための信号線である。信号線DISP_CHGは、アクセサリＣＰＵ３１０からボディＣＰＵ１１０へ、背面モニタ１０５と液晶パネル３０３との間の表示切り替えを要請するための信号線である。アクセサリＣＰＵ３１０は、不図示のボタンや近接センサ等により、背面モニタ１０５と液晶パネル３０３との間で表示を切り替えるべきであると判断すると、信号線DISP_CHGに制御信号を出力する。ボディＣＰＵ１１０は、信号線DISP_CHGを介して制御信号が入力されると、スルー画やメニュー画面等の表示先を切り替える。
【００２７】
（トランスミッタＩＣ１１３とレシーバＩＣ３１３の説明）
トランスミッタＩＣ１１３とレシーバＩＣ３１３は、それぞれ、いわゆるＵＡＲＴ（Universal Asyncronous Receiver Transmitter）機能を内蔵する。つまり、トランスミッタＩＣ１１３とレシーバＩＣ３１３は、調歩同期式のシリアルデータ通信を行う機能を有する。
【００２８】
例えばボディＣＰＵ１１０が、信号線BCMDOを介して、トランスミッタＩＣ１１３へシリアル信号（後述）を出力すると、トランスミッタＩＣ１１３はこのシリアル信号を一対の信号線Tx+、Tx-により伝送される信号（シリアライズされた映像信号）に重畳して（もしくは空きスロットを用いて）レシーバＩＣ３１３へ送信する。レシーバＩＣ３１３は、受信したシリアル信号を、信号線ECMDOを介してアクセサリＣＰＵ３１０に出力する。
【００２９】
逆方向の通信についても同様である。すなわち、アクセサリＣＰＵ３１０が、信号線ECMDIを介して、レシーバＩＣ３１３へシリアル信号（後述）を出力すると、レシーバＩＣ３１３はこのシリアル信号を一対の信号線Tx+、Tx-を用いてトランスミッタＩＣ１１３へ送信する。トランスミッタＩＣ１１３は、受信したシリアル信号を、信号線BCMDIを介してボディＣＰＵ１１０に出力する。
【００３０】
図４（ａ）は、調歩同期式のシリアル信号の例を示す図である。以下の説明では、スタートビット長は１ビット、ストップビット長は１ビット、データビット長は８ビット、ビットレートは１１５．２ｋｂｐｓであるものとして説明を行う。また、以下の説明では、トランスミッタＩＣ１１３からレシーバＩＣ３１３にシリアル信号を送信する場合について述べる。逆方向の通信、すなわちレシーバＩＣ３１３からトランスミッタＩＣ１１３にシリアル信号を送信する場合も以下の説明と同様である。
【００３１】
トランスミッタＩＣ１１３は、１回の通信で８ビットのデータを伝送する。例えば、３２ビットのデータ１つを伝送するためには、４回の通信が必要である。また、ビットレートは１１５．２ｋｂｐｓであるので、１ビットの伝送には約０．８７マイクロ秒が必要になる。
【００３２】
トランスミッタＩＣ１１３は、非通信時、信号をＨレベルにすることを要求する。通信開始時、トランスミッタＩＣ１１３は、１ビット分だけ信号をＬレベルにする（スタートビット５１）。トランスミッタＩＣ１１３はその後、８ビット分の信号５２を送出し、１ビット分だけ信号をＬレベルにする（ストップビット５３）。その後、トランスミッタＩＣ１１３は信号をＨレベルに戻す。つまり、１回の通信には１０ビットの伝送が必要であり、その通信時間Ｔ１は約８．７マイクロ秒である。データが全て０である場合、１回の通信で送出される信号は通信時間Ｔ１の間、連続してＬレベルになる。
【００３３】
複数の通信を含む調歩同期式シリアル信号の例を図４（ｂ）に示す。図４（ｂ）に示すように、調歩同期式のシリアル通信では、多数のデータを送信する場合、１回の通信毎にＨレベルの信号５４が存在する。トランスミッタＩＣ１１３およびレシーバＩＣ３１３は、ＵＡＲＴ機能を利用する際、信号が連続してＬレベルになる時間を１００マイクロ秒未満にするよう要求する。つまり、シリアル信号を連続して１００マイクロ秒以上Ｌレベルにすると、トランスミッタＩＣ１１３およびレシーバＩＣ３１３は正常に機能しなくなる。前述の通り、通信時間Ｔ１は１００マイクロ秒よりも小さいので、トランスミッタＩＣ１１３およびレシーバＩＣ３１３が要求するこの制限は、調歩同期式のシリアル信号を送受信する限り、問題にならない。
【００３４】
本実施形態におけるボディＣＰＵ１１０は、トランスミッタＩＣ１１３が有するＵＡＲＴ機能を利用して、アクセサリＣＰＵ３１０に、液晶パネル３０３の表示開始タイミングおよび表示終了タイミングを伝達する。同様に、アクセサリＣＰＵ３１０は、レシーバＩＣ３１３が有するＵＡＲＴ機能を利用して、ボディＣＰＵ１１０に、液晶パネル３０３の表示開始タイミングおよび表示終了タイミングを伝達する。
【００３５】
しかしながら、ボディＣＰＵ１１０およびアクセサリＣＰＵ３１０に、上述した調歩同期式のシリアル信号を入出力させるためには、ボディＣＰＵ１１０およびアクセサリＣＰＵ３１０が実行する制御プログラムに調歩同期式シリアル信号の生成処理および解読処理を組み込まなければならず、制御プログラムのサイズの増大や開発工数の増加を招く。
【００３６】
そこで本実施形態のボディＣＰＵ１１０およびアクセサリＣＰＵ３１０は、上述したトランスミッタＩＣ１１３およびレシーバＩＣ３１３が有するＵＡＲＴ機能を利用して、調歩同期式のシリアル信号ではない信号、すなわち図４（ａ）、（ｂ）で説明した規約から逸脱した信号を伝達させる。具体的には、図４（ｃ）のように、任意の期間だけＨレベルやＬレベルが保たれる信号を、ボディＣＰＵ１１０とアクセサリＣＰＵ３１０との間で伝達させる。つまり、１００マイクロ秒よりも長い期間Ｔ２だけ、信号レベルがＬレベルに保たれることもある。
【００３７】
このようにすることで、ボディＣＰＵ１１０とアクセサリＣＰＵ３１０との間に、あたかも任意の信号を授受できる２本の信号線が存在するかのように、Ｈレベルの信号やＬレベルの信号を双方向に授受することができる。
【００３８】
前述の通り、トランスミッタＩＣ１１３およびレシーバＩＣ３１３のＵＡＲＴ機能は、信号が１００マイクロ秒以上連続してＬレベルにならないことを要求する。そこで、ボディＣＰＵ１１０およびアクセサリＣＰＵ３１０は、信号線BCMDI、ECMDIへ１００マイクロ秒以上Ｌレベルのままの信号を出力する場合、図４（ｄ）に示すように、１００マイクロ秒より短い時間Ｔ３ごとに、微少時間Δｔだけ信号レベルをＨレベルにする。
【００３９】
このようにすると、トランスミッタＩＣ１１３およびレシーバＩＣ３１３からボディＣＰＵ１１０およびアクセサリＣＰＵ３１０に向かって、大部分の期間にはＬレベルであり、一定期間Ｔ３ごとにインパルス的にＨレベルが現れる信号が出力される。このインパルス的なＨレベル出力は、ローパスフィルタにより容易に取り除くことができる。
【００４０】
図５（ａ）は、トランスミッタＩＣ１１３およびレシーバＩＣ３１３の周辺回路の詳細を示すブロック図である。信号線BCMDIには、抵抗Ｒ１とコンデンサＣ１とから成るローパスフィルタが設置されている。同様に、信号線ECMDOには、抵抗Ｒ２とコンデンサＣ２とから成るローパスフィルタが設置されている。その結果、例えばトランスミッタＩＣ１１３から図５（ｂ）に示す信号ＳＲＣが出力された場合、インパルス的なＨレベルはカットされ、ボディＣＰＵ１１０には図５（ｂ）に示す信号ＤＳＴが入力されることとなる。レシーバＩＣ３１３から図５（ｂ）に示す信号ＳＲＣが出力された場合も同様に、アクセサリＣＰＵ３１０には図５（ｂ）に示す信号ＤＳＴが入力されることとなる。
【００４１】
以上のようにカメラボディ１００およびアクセサリ３００を構成することにより、ボディＣＰＵ１１０とアクセサリＣＰＵ３１０との間で、任意の期間ＨレベルやＬレベルを継続させることができる信号を全二重で授受することができる。この信号は、調歩同期式のシリアル信号としては解釈不可能な信号である。また、「入力信号を連続して１００マイクロ秒以上Ｌレベルにしないこと」という、トランスミッタＩＣ１１３およびレシーバＩＣ３１３が要求する条件を満足させることもできる。更に、カメラボディ１００とアクセサリ３００との間に、余計な通信線や接点を追加する必要もない。
【００４２】
（背面モニタとＥＶＦの表示切替処理の説明）
前述の通り、背面モニタ１０５と液晶パネル３０３は排他的に利用される。アクセサリＣＰＵ３１０は、必要に応じて背面モニタ１０５と液晶パネル３０３との表示切替処理を実行する。表示切替処理により、スルー画等の表示先が背面モニタ１０５から液晶パネル３０３に切り替わるか、あるいは液晶パネル３０３から背面モニタ１０５に切り替わる。以下、まず背面モニタ１０５から液晶パネル３０３への表示切替処理について説明する。
【００４３】
図６は、背面モニタ１０５から液晶パネル３０３への表示切替処理のフローチャートである。また、図７は、背面モニタ１０５から液晶パネル３０３への表示切替処理のタイミングチャートである。図７に示すように、表示切替処理の実行前において、信号線DISP_CHGはＨレベルであり、信号線BCMDO、BCMDI、Tx_CE、Rx_CE、S、ECMDO、ECMDIはそれぞれＬレベルである。
【００４４】
まず、図６紙面左側の、アクセサリＣＰＵ３１０により実行される表示切替処理について説明する。ステップＳ１００でアクセサリＣＰＵ３１０は、信号線DISP_CHGにＬレベルの信号を出力する（図７のｔ１）。この信号は、スルー画等の表示先の液晶パネル３０３への切替指示を表す信号である。ステップＳ１１０でアクセサリＣＰＵ３１０は、信号線Rx_CEにＨレベルの信号を出力する（図７のｔ２）。この信号は、レシーバＩＣ３１３への起動指示を表す信号である。これにより、レシーバＩＣ３１３が起動を開始する。
【００４５】
ステップＳ１２０でアクセサリＣＰＵ３１０は、信号線Vsyncに垂直同期信号が流れているか、すなわち、レシーバＩＣ３１３がカメラボディ１００から映像信号および同期用信号を受信しているか否かを判定する。レシーバＩＣ３１３の起動が完了していないか、あるいはトランスミッタＩＣ１１３が動作していない（起動していない）場合には、信号線Vsyncには垂直同期信号が流れない。アクセサリＣＰＵ３１０は、信号線Vsyncに垂直同期信号が流れるまで、ステップＳ１２０を繰り返し実行する。他方、信号線Vsyncに垂直同期信号が流れ始めると（図７のｔ６）、アクセサリＣＰＵ３１０は処理をステップＳ１３０に進める。
【００４６】
ステップＳ１３０でアクセサリＣＰＵ３１０は、信号線Sにパルス（制御信号）を出力する（図７のｔ７）。この信号は、ドライバＩＣ３１４への起動指示を表す信号である。これにより、ドライバＩＣ３１４が起動を開始する。ステップＳ１４０でアクセサリＣＰＵ３１０は、信号線ECMDOの信号レベルがＨレベルになったか否か、すなわち、信号線ECMDOにＨレベルの信号が出力されたか否かを判定する。この信号の意味については後述する。アクセサリＣＰＵ３１０は、信号線ECMDOの信号レベルがＬレベルの間、ステップＳ１４０を繰り返し実行する。他方、信号線ECMDOの信号レベルがＨレベルになると（図７のｔ１０）、アクセサリＣＰＵ３１０は処理をステップＳ１５０に進める。
【００４７】
ステップＳ１５０でアクセサリＣＰＵ３１０は、ドライバＩＣ３１４に、液晶パネル３０３の表示を開始させる。例えば、液晶パネル３０３のバックライトを点灯させる。ステップＳ１６０でアクセサリＣＰＵ３１０は、信号線ECMDIにＨレベルの信号を出力する（図７のｔ１１）。この信号は、液晶パネル３０３による表示が開始されたことを表す信号である。
【００４８】
次に、図６の紙面右側の、ボディＣＰＵ１１０により実行される表示切替処理について説明する。ステップＳ２００でボディＣＰＵ１１０は、信号線DISP_CHGの信号レベルがＬレベルになったか否か、すなわち、信号線DISP_CHGにＬレベルの信号が出力されたか否かを判定する。ボディＣＰＵ１１０は、信号線DISP_CHGの信号レベルがＨレベルの間、ステップＳ２００を繰り返し実行する。他方、信号線DISP_CHGの信号レベルがＬレベルになると（図７のｔ１）、ボディＣＰＵ１１０は処理をステップＳ２１０に進める。
【００４９】
ステップＳ２１０でボディＣＰＵ１１０は、背面モニタ１０５に表示を中止させる。例えば、背面モニタ１０５のバックライトを消灯させる。ステップＳ２２０でボディＣＰＵ１１０は、スイッチ１１４に向けた映像信号および同期用信号の出力を中止する（図７のｔ３）。ステップＳ２３５でボディＣＰＵ１１０は、スイッチ１１４を切り替え、背面モニタ１０５ではなくトランスミッタＩＣ１１３に映像信号および同期用信号が出力されるようにする。
【００５０】
ステップＳ２４０でボディＣＰＵ１１０は、スイッチ１１４に向けた同期用信号および同期用信号の出力を開始する（図７のｔ４）。なお、ここで出力開始される同期用信号は、アクセサリ３００の液晶パネル３０３が要求する仕様に合わせた特性を有している。特性とは、例えば周波数や振幅、画素数、アスペクト比等のことである。
【００５１】
ステップＳ２５０でボディＣＰＵ１１０は、信号線Tx_CEにＨレベルの信号を出力する（図７のｔ５）。この信号は、トランスミッタＩＣ１１３への起動指示を表す信号である。これにより、トランスミッタＩＣ１１３が起動を開始する。
【００５２】
ステップＳ２７０でボディＣＰＵ１１０は、自身が出力する映像信号が安定したか否かを判定する。映像信号や同期用信号の特性をステップＳ２２０〜２４０で切り替えているが、切り替え直後は出力される映像信号等が正常な状態でない可能性がある。そのような映像信号等に基づいて映像の表示が為されると、液晶パネル３０３に乱れた映像が表示されるおそれがある。そこでボディＣＰＵ１１０は、映像信号が安定するまでステップＳ２７０を繰り返し実行する。他方、ステップＳ２７０において映像信号が安定した場合（図７のｔ８）、ボディＣＰＵ１１０は処理をステップＳ２８０に進める。ステップＳ２８０でボディＣＰＵ１１０は、信号線BCMDOにＨレベルの信号を出力する（図７のｔ９）。この信号は、トランスミッタＩＣ１１３を介してアクセサリ３００に送信される映像信号が安定したことを表す信号である。
【００５３】
ステップＳ２９０でボディＣＰＵ１１０は、信号線BCMDIの信号レベルがＨレベルになったか否か、すなわち、信号線BCMDIにＨレベルの信号が出力されたか否かを判定する。ボディＣＰＵ１１０は、信号線BCMDIの信号レベルがＬレベルの間、ステップＳ２９０を繰り返し実行する。他方、信号線BCMDIの信号レベルがＨレベルになると（図７の１２）、ボディＣＰＵ１１０は図６に示した表示切替処理を終了する。
【００５４】
次に、液晶パネル３０３から背面モニタ１０５への表示切替処理について説明する。この表示切替処理により、スルー画等の表示先が液晶パネル３０３から背面モニタ１０５に切り替わる。
【００５５】
図８は、液晶パネル３０３から背面モニタ１０５への表示切替処理のフローチャートである。また、図９は、液晶パネル３０３から背面モニタ１０５への表示切替処理のタイミングチャートである。図９に示すように、表示切替処理の実行前において、信号線DISP_CHG、SはＬレベルであり、信号線BCMDO、BCMDI、Tx_CE、Rx_CE、ECMDO、ECMDIはそれぞれＨレベルである。
【００５６】
まず、図８紙面左側の、アクセサリＣＰＵ３１０により実行される表示切替処理について説明する。ステップＳ３００でアクセサリＣＰＵ３１０は、信号線DISP_CHGにＨレベルの信号を出力する（図９の２１）。この信号は、スルー画等の表示先の背面モニタ１０５への切替指示を表す信号である。ステップＳ３１０でアクセサリＣＰＵ３１０は、信号線ECMDOの信号レベルがＬレベルになったか否か、すなわち、信号線ECMDOにＬレベルの信号が出力されたか否かを判定する。この信号の意味については後述する。アクセサリＣＰＵ３１０は、信号線ECMDOの信号レベルがＨレベルの間、ステップＳ３１０を繰り返し実行する。他方、信号線ECMDOの信号レベルがＬレベルになると（図９のｔ２３）、アクセサリＣＰＵ３１０は処理をステップＳ３２０に進める。
【００５７】
ステップＳ３２０でアクセサリＣＰＵ３１０は、ドライバＩＣ３１４に、液晶パネル３０３の表示を中止させる。例えば、液晶パネル３０３のバックライトを消灯させる。ステップＳ３３０でアクセサリＣＰＵ３１０は、信号線Sにパルス（制御信号）を出力する（図９のｔ２４）。この信号は、ドライバＩＣ３１４への動作停止指示を表す信号である。これにより、ドライバＩＣ３１４が動作を停止する。
【００５８】
ステップＳ３４０でアクセサリＣＰＵ３１０は、信号線ECMDIにＬレベルの信号を出力する（図９のｔ２５）。この信号は、液晶パネル３０３による表示が停止されたことを表す信号である。ステップＳ３５０でアクセサリＣＰＵ３１０は、信号線Rx_CEにＬレベルの信号を出力する（図９のｔ３０）。この信号は、レシーバＩＣ３１３への動作停止指示を表す信号である。これにより、レシーバＩＣ３１３が動作を停止する。
【００５９】
次に、図８の紙面右側の、ボディＣＰＵ１１０により実行される表示切替処理について説明する。ステップＳ４００でボディＣＰＵ１１０は、信号線DISP_CHGの信号レベルがＨレベルになったか否か、すなわち、信号線DISP_CHGにＨレベルの信号が出力されたか否かを判定する。ボディＣＰＵ１１０は、信号線DISP_CHGの信号レベルがＬレベルの間、ステップＳ４００を繰り返し実行する。他方、信号線DISP_CHGの信号レベルがＨレベルになると（図９のｔ２１）、ボディＣＰＵ１１０は処理をステップＳ４１０に進める。
【００６０】
ステップＳ４１０でボディＣＰＵ１１０は、信号線BCMDOにＬレベルの信号を出力する（図９のｔ２２）。この信号は、トランスミッタＩＣ１１３を介したアクセサリ３００への映像信号および同期用信号の送信をこれから停止する合図を表す信号である。例えばレリーズボタン１０３の全押し操作をする際にプリキャプチャー撮影（レリーズボタンの全押し操作よりも前の時点（例えばレリーズボタンの半押し操作時点）から開始されている撮影）を伴う特定撮影モード（以降、プリキャプチャー付き撮影モード、と称します）で撮影する場合などでは、ボディＣＰＵ１１０が表示切替をすぐに行うことができない場合がある。これは、その特定撮影モードで撮影を行う場合には、ボディＣＰＵ１１０に多大な処理負荷がかかるためである。特定撮影モードとしては、レリーズタイミング（全押し操作タイミング）の画像を含む複数のプリキャプチャー画像の中からベストが画像を選択する撮影モードや、複数のプリキャプチャー画像を使ってスローモーション動画を生成する撮影モードなどがある。これら特定撮影モードで撮影をした場合に、ボディＣＰＵ１１０は、レリーズボタンの全押し操作前に撮影されているプリキャプチャー撮影画像をカメラ内の内蔵メモリ（バッファメモリ）に保存（バッファリング）する処理や、そのバッファリングしたプリキャプチャー画像に基づく更なる処理（例えば各画像に対して様々な画像評価を行って評価値を付与する処理や、或いはスローモーション動画の生成処理など）を行う。このため、上述の各処理（バッファリング処理や更なる処理）に並行して、プリキャプチャー撮影画像の画像サイズを、アクセサリ３００での表示のための表示用サイズに変換するリサイズ処理を行うことは、ボディＣＰＵ１１０に多大な負荷を強いることになる。このようなボディＣＰＵ１１０での負荷を軽減するために、上述の場合（上述のプリキャプチャー付き撮影モードの場合）、ボディＣＰＵ１１０は、信号線BCMDOへのＬレベルの信号の出力を、表示切替ができるようになるまで遅らせる。これにより、ボディＣＰＵ１１０の準備が完了するまで、アクセサリＣＰＵ３１０を待たせることができる。
【００６１】
ステップＳ４２０でボディＣＰＵ１１０は、信号線BCMDIの信号レベルがＬレベルになったか否か、すなわち、信号線BCMDIにＬレベルの信号が出力されたか否かを判定する。ボディＣＰＵ１１０は、信号線BCMDIの信号レベルがＨレベルの間、ステップＳ４２０を繰り返し実行する。他方、信号線BCMDIの信号レベルがＬレベルになると（図９のｔ２６）、ボディＣＰＵ１１０は処理をステップＳ４３０に進める。
【００６２】
ステップＳ４３０でボディＣＰＵ１１０は、信号線Tx_CEにＬレベルの信号を出力する（図９のｔ２７）。この信号は、トランスミッタＩＣ１１３への動作停止指示を表す信号である。これにより、トランスミッタＩＣ１１３が動作を停止する。
【００６３】
ステップＳ４４０でボディＣＰＵ１１０は、スイッチ１１４に向けた映像信号および同期用信号の出力を中止する（図９のｔ２９）。ステップＳ４５０でボディＣＰＵ１１０は、スイッチ１１４を切り替え、トランスミッタＩＣ１１３ではなく背面モニタ１０５に映像信号および同期用信号が出力されるようにする。ステップＳ４６０でボディＣＰＵ１１０は、スイッチ１１４に向けた同期用信号および同期用信号の出力を開始する（図９のｔ３１）。なお、ここで出力開始される同期用信号は、背面モニタ１０５が要求する仕様に合わせた特性を有している。
【００６４】
ステップＳ４７０でボディＣＰＵ１１０は、自身が出力する映像信号が安定したか否かを判定する。ボディＣＰＵ１１０は、映像信号が安定するまでステップＳ４７０を繰り返し実行する。他方、ステップＳ４７０において映像信号が安定した場合（図９のｔ３２）、ボディＣＰＵ１１０は処理をステップＳ４８０に進める。ステップＳ４８０でボディＣＰＵ１１０は、背面モニタ１０５に表示を開始させる。例えば、背面モニタ１０５のバックライトを点灯させる。
【００６５】
上述した第１の実施の形態によるカメラシステムによれば、次の作用効果が得られる。
（１）レシーバＩＣ３１３（通信部）は、カメラボディ１００から端子ＰＡ１９、ＰＡ２０を介して映像信号を継続的に受信する機能と、端子ＰＡ１９、ＰＡ２０を介して映像信号に関する制御信号を継続的に送受信する機能とを有する。アクセサリＣＰＵ３１０（制御部）は、制御信号をレシーバＩＣ３１３に入力する。レシーバＩＣ３１３は、制御信号として調歩同期式のシリアル信号を想定して設計されると共に、入力された制御信号にＬレベルが１００マイクロ秒以上連続して現れないよう要求する。アクセサリＣＰＵ３１０は、制御信号として、調歩同期式のシリアル信号ではなく、Ｌレベルが調歩同期式のシリアル信号に連続して現れる時間よりも長く１００マイクロ秒より短い時間だけ連続して現れる制御信号をレシーバＩＣ３１３に入力する。このようにしたので、端子数を増やさずに、遅延の少ない通信を行うことができる。
【００６６】
（２）液晶パネル３０３は、レシーバＩＣ３１３により受信された映像信号に基づく映像を表示する。アクセサリＣＰＵ３１０は、液晶パネル３０３による映像の表示が行われている場合と、液晶パネル３０３による映像の表示が行われていない場合とで、制御信号の信号レベルを変化させる。このようにしたので、新たな端子を追加することなく、映像表示の有無を通信によりカメラボディ１００に伝達することができる。
【００６７】
次のような変形も本発明の範囲内であり、変形例の一つ、もしくは複数を上述の実施形態と組み合わせることも可能である。
【００６８】
（変形例１）
本発明は、図１に示したものとは異なるカメラシステムに適用することもできる。例えば、クイックリターンミラーを備えた、いわゆる一眼レフレックス方式のカメラシステムにも本発明を適用することが可能である。
【００６９】
（変形例２）
上述した実施の形態では、トランスミッタＩＣ１１３およびレシーバＩＣ３１３が有するＵＡＲＴ機能を、調歩同期式のシリアル信号の授受に用いず、図５（ｂ）に示した信号ＳＲＣの授受にのみ用いていた。ＵＡＲＴ機能を用いて、調歩同期式のシリアル信号の授受も行うようにすることができる。例えば、アクセサリＣＰＵ３１０が、不図示の近接センサの検出状態や不図示の外光センサにより検出した環境光の色温度等を、調歩同期式のシリアル信号を用いてボディＣＰＵ１１０に送信するようにしてもよい。この場合、アクセサリＣＰＵ３１０は、調歩同期式のシリアル信号と、信号ＳＲＣとを、必要に応じて適宜切り替えてレシーバＩＣ３１３に入力する。
【００７０】
（変形例３）
上述した実施の形態では、いわゆる外付け型の電子ビューファインダーユニットに本発明を適用した例を説明したが、本発明はこのような実施の形態に限定されない。例えば、より大型の表示画面を備えた、接眼利用を想定しない表示用アクセサリに本発明を適用することもできる。
【００７１】
本発明の特徴を損なわない限り、本発明は上記実施の形態に限定されるものではなく、本発明の技術的思想の範囲内で考えられるその他の形態についても、本発明の範囲内に含まれる。
【符号の説明】
【００７２】
１…カメラシステム、１００…カメラボディ、１０２…撮像素子、１０５…背面モニタ、１１０…ボディＣＰＵ、１１３…トランスミッタＩＣ、２００…交換レンズ、３００…アクセサリ、３０３…液晶パネル、３１０…アクセサリＣＰＵ、３１３…レシーバＩＣ、３１４…ドライバＩＣ
【図１】
2015076630.tif 000003
【図２】
2015076630.tif 000004
【図３】
2015076630.tif 000005
【図４】
2015076630.tif 000006
【図５】
2015076630.tif 000007
【図６】
2015076630.tif 000008
【図７】
2015076630.tif 000009
【図８】
2015076630.tif 000010
【図９】
2015076630.tif 000011